Podtech/llm-jp-corpus-v4-ja_patent huggingface dataset:
【手続補正書】
【提出日】平成20年5月2日(2008.5.2)
【手続補正１】
【補正対象書類名】特許請求の範囲
【補正対象項目名】全文
【補正方法】変更
【補正の内容】
【特許請求の範囲】
【請求項１】
被験体における放射線誘発性腸炎を処置するための組成物であって、
バルサラジド
を含む、組成物。
【請求項２】
前記バルサラジドが、前記被験体の放射線治療の初回投与の少なくとも１日前に投与されることを特徴とする、請求項１に記載の組成物。
【請求項３】
前記バルサラジドが、前記被験体の放射線治療の初回投与の少なくとも５日前に投与されることを特徴とする、請求項１に記載の組成物。
【請求項４】
前記バルサラジドが、放射線治療の間に投与されることを特徴とする、請求項１に記載の組成物。
【請求項５】
前記バルサラジドが、放射線治療の休止後少なくとも１日間、投与されることを特徴とする、請求項１に記載の組成物。
【請求項６】
前記バルサラジドが、放射線治療の休止後１４日間、投与されることを特徴とする、請求項１に記載の組成物。
【請求項７】
前記バルサラジドが、放射線治療の初回投与の少なくとも１日前から、放射線治療の休止の少なくとも１日後まで投与されることを特徴とする、請求項１に記載の組成物。
【請求項８】
前記被験体が、結腸直腸癌、虫垂癌、肛門癌、または小腸癌を含む胃腸悪性腫瘍；前立腺癌、膀胱癌、精巣癌、または陰茎癌を含む泌尿生殖器悪性腫瘍；子宮頸癌、子宮内膜癌、卵巣癌、膣癌、または外陰部の癌を含む婦人科悪性腫瘍；あるいは、骨原性悪性腫瘍および骨盤構造が関与する他の肉腫性悪性腫瘍のための処置の結果として放射線治療を受けた、請求項１に記載の組成物。
【請求項９】
前記バルサラジドが、前記被験体に毎日２回、投与されることを特徴とする、請求項１に記載の組成物。
【請求項１０】
約３０００ｍｇ〜約５０００ｍｇの間のバルサラジドが、前記被験体に毎日投与されることを特徴とする、請求項１に記載の組成物。
【請求項１１】
前記バルサラジドが、約８週間〜約１２週間の間で、前記被験体に投与されることを特徴とする、請求項１に記載の組成物。
【請求項１２】
前記被験体が、急性放射線腸炎を有する、請求項１に記載の組成物。
【請求項１３】
前記放射線誘発性腸炎が、化学療法と組み合わせた放射線治療または外科手術と組み合わせた放射線治療によって引き起こされる、請求項１に記載の組成物。
【請求項１４】
前記バルサラジドが、被験体の放射線治療もしくは化学療法の初回投与の少なくとも１日前、または外科手術を受ける少なくとも１日前に投与されることを特徴とする、請求項１３に記載の組成物。
【請求項１５】
前記バラサラジドが、放射線治療もしくは化学療法の初回投与の少なくとも５日前、または外科手術を受ける少なくとも５日前に投与されることを特徴とする、請求項１３に記載の組成物。
【請求項１６】
前記バラサラジドが、放射線治療、化学療法、または前記外科手術中に投与されることを特徴とする、請求項１３に記載の組成物。
【請求項１７】
前記バラサラジドが、放射線治療もしくは化学療法の休止後の少なくとも１日間、または外科手術後の少なくとも１日間投与されることを特徴とする、請求項１３に記載の組成物。
【請求項１８】
前記バラサラジドが、放射線治療もしくは化学療法の休止の後の少なくとも１４日間、または外科手術の後の少なくとも１４日間投与されることを特徴とする、請求項１３に記載の組成物。
【請求項１９】
前記バラサラジドが、放射線治療もしくは化学療法の初回投与の少なくとも１日前または外科手術を受ける少なくとも１日前から、放射線治療もしくは化学療法の休止の少なくとも１日後または外科手術の少なくとも１日後まで、投与されることを特徴とする、請求項１３に記載の組成物。
【請求項２０】
前記被験体が、結腸直腸癌、虫垂癌、肛門癌、または小腸癌を含む胃腸悪性腫瘍；前立腺癌、膀胱癌、精巣癌、または陰茎癌を含む泌尿生殖器悪性腫瘍；子宮頸癌、子宮内膜癌、卵巣癌、膣癌、または外陰部の癌を含む婦人科悪性腫瘍；あるいは、骨原性悪性腫瘍および骨盤構造が関与する他の肉腫性悪性腫瘍のための処置の結果として放射線治療、化学療法、または外科手術を受けた、請求項１３に記載の組成物。
【請求項２１】
前記バルサラジドが、前記被験体に毎日２回、投与されることを特徴とする、請求項１３に記載の組成物。
【請求項２２】
約３０００ｍｇ〜約５０００ｍｇの間のバルサラジドが、毎日、前記被験体に投与されることを特徴とする、請求項１３に記載の組成物。
【請求項２３】
前記バルサラジドが、約８週間〜約１２週間の間で、前記被験体に投与されることを特徴とする、請求項１３に記載の組成物。
【請求項２４】
放射線誘発性腸炎から防御するための組成物であって、
バルサラジド
を含み、該組成物は、放射線治療を受ける前、放射線治療を受ける間、および／または放射線治療を受ける後に被験体に投与されることを特徴とする、組成物。
【請求項２５】
結腸の粘膜を放射線誘発性傷害から防御するための組成物であって、
バルサラジド
を含み、該組成物は、放射線治療を受ける前、放射線治療を受ける間、および／または放射線治療を受ける後に被験体に投与されることを特徴とする、組成物。
【請求項２６】
放射線誘発性結腸直腸炎症から防御するための組成物であって、
バルサラジド
を含み、該組成物は、放射線治療を受ける前、放射線治療を受ける間、および／または放射線治療を受ける後に被験体に投与されることを特徴とする、組成物。
【手続補正書】
【提出日】平成20年6月19日(2008.6.19)
【手続補正１】
【補正対象書類名】特許請求の範囲
【補正対象項目名】全文
【補正方法】変更
【補正の内容】
【特許請求の範囲】
【請求項１】
急性心筋梗塞によりもたらされる死亡数の低下、梗塞患者が病院内で集中治療を受ける日数の低下および梗塞後心不全の発症数の低下のための、L-カルニチンまたはその医薬上許容される塩の１つとグルコースとを組合せて含む医薬組成物であって、L-カルニチンが1000-1500 mLの 5% グルコース溶液と組合されて急性心筋梗塞の症状の発生の数時間以内に、初期用量9グラム/日にて5日間静脈内投与され、その後、 L-カルニチン治療が4グラム/日の用量で経口投与により継続される、医薬組成物。
【請求項２】
L-カルニチンおよびグルコース溶液が、急性心筋梗塞の症状の発生の6 時間以内に投与される、請求項 1の医薬組成物。
【請求項３】
L-カルニチンおよびグルコース溶液が急性心筋梗塞の症状の発生の4時間以内に投与される、請求項 1の医薬組成物。
【請求項４】
L-カルニチンの医薬上許容される塩が、クロリド、ブロミド、オロチン塩、アスパラギン酸塩、酸アスパラギン酸塩、酸クエン酸塩、マグネシウムクエン酸塩、リン酸塩、酸リン酸塩、フマル酸塩および酸フマル酸塩、マグネシウムフマル酸塩、乳酸塩、マレイン酸塩および酸マレイン酸塩、シュウ酸塩、酸シュウ酸塩、パモ酸塩、酸パモ酸塩、硫酸塩、酸硫酸塩、グルコースリン酸塩、酒石酸塩および酸酒石酸塩、グリセロリン酸塩、ムケート、マグネシウム酒石酸塩、 2-アミノエタンスルホン酸塩、マグネシウム 2-アミノエタンスルホン酸塩、メタンスルホン酸塩、コリン酒石酸塩、トリクロロ酢酸塩およびトリフルオロ酢酸塩からなる群から選択される、請求項 1の医薬組成物。
【請求項５】
L-カルニチンが1000-1500 mLの5% グルコース溶液に溶解されて投与される、請求項 1の医薬組成物。
【請求項６】
L-カルニチンが、単一用量または分割用量にて、蒸留水、生理食塩水、またはグルコース溶液から選択される媒体に溶解されて、グルコース溶液と並行して投与される、請求項 1-3のいずれかの医薬組成物。
【請求項７】
経口投与用L-カルニチンが、錠剤、カプセル剤、散剤、顆粒剤、シロップ剤、エリキシル剤、懸濁液または溶液の形態である、請求項 1-3のいずれかの医薬組成物。
【手続補正書】
【提出日】平成20年10月3日(2008.10.3)
【手続補正１】
【補正対象書類名】特許請求の範囲
【補正対象項目名】全文
【補正方法】変更
【補正の内容】
【特許請求の範囲】
【請求項１】
式（Ｉ）：
（Ｍｐ−Ｌｋ−Ｖ２−Ｈｇ−ＣH２−ＣH３）(t)
（Ｉ）
［式中、Ｍｐはメラノコルチン受容体結合性分子であり、Ｌｋはポリペプチド若しくは化学結合であり、Ｖ２は免疫グロブリン可変領域のＣ末端の一部分であり、Ｈｇは免疫グロブリン可変ヒンジ領域の少なくとも一部分であり、ＣH２は免疫グロブリンＨ鎖ＣH２定常領域であり、そして、ＣH３は免疫グロブリンＨ鎖ＣH３定常領域であり、ならびにｔは独立に１から１０までの整数である］
で表されるポリペプチド。
【請求項２】
Ｍが、配列番号２、４、６、８、１０、１２、１４、１６若しくは１８の生物学的に活性のフラグメントである、請求項１に記載のポリペプチド。
【請求項３】
Ｍが、配列番号２、４、６、８、１０、１２、１４、１６若しくは１８に示されるアミノ酸配列を有する、請求項１に記載のポリペプチド。
【請求項４】
ポリペプチドが最低１種のメラノコルチン受容体に結合する、請求項１に記載のポリペプチド。
【請求項５】
メラノコルチン受容体がメラノコルチン４受容体である、請求項４に記載のポリペプチド。
【請求項６】
配列番号６０若しくは６２を含んでなるポリペプチド。
【請求項７】
請求項１ないし６のいずれか１つに記載のポリペプチドをコードするポリヌクレオチド。
【請求項８】
配列番号５９若しくは配列番号６１を含んでなるポリヌクレオチド、または配列番号５９若しくは配列番号６１に相補的なポリヌクレオチド。
【請求項９】
配列番号６０若しくは配列番号６２のポリペプチドをコードするポリヌクレオチドを含んでなるポリヌクレオチド。
【請求項１０】
請求項８若しくは９に記載のポリヌクレオチドを含んでなるベクター。
【請求項１１】
配列番号６３を含んでなる、請求項１０に記載のベクター。
【請求項１２】
請求項１ないし６のいずれか１つに記載のポリペプチドを発現する細胞。
【請求項１３】
請求項１０に記載のベクターを含んでなる細胞。
【請求項１４】
細胞がＨＥＫ２９３由来細胞である、請求項１３に記載の細胞。
【請求項１５】
請求項１２に記載の細胞を培養する段階、および発現されたポリペプチドを精製する段階を含んでなる、ポリペプチドの製造方法。
【請求項１６】
有効量の請求項１ないし６のいずれか１つに記載の最低１種のポリペプチド、および製薬学的に許容できる担体若しくは希釈剤を含んでなる製薬学的組成物。
【請求項１７】
請求項１ないし６のいずれか１つに記載の最低１種のポリペプチドを有効成分として含んでなる、細胞、組織若しくは器官中のメラノコルチン受容体の生物学的活性の改変用組成物。
【請求項１８】
請求項１ないし６のいずれか１つに記載の最低１種のポリペプチドを有効成分として含んでなる、最低１種のメラントコルチン受容体に媒介される状態の調節用組成物。
【請求項１９】
メラノコルチン受容体に媒介される状態が肥満である、請求項１８に記載の組成物。
【手続補正書】
【提出日】平成20年10月20日(2008.10.20)
【手続補正１】
【補正対象書類名】特許請求の範囲
【補正対象項目名】全文
【補正方法】変更
【補正の内容】
【特許請求の範囲】
【請求項１】
本体と膜（１０，１１０，２１０）とを備える加圧部材（２０）であって、前記本体は、頂部（２８）から広がって該頂部（２８）を包むような形状の第１の側壁（２４）を有しており、該第１の側壁（２４）は外側面を有しており、前記頂部（２８）は穴（３６）を形成しており、前記頂部（２８）は前記膜（１０，１１０，２１０）を受け入れるように形状づけられており、前記膜（１０，１１０，２１０）は、懸濁した高電磁エネルギ吸収物質（１８，２１８）を有するゼラチン層（１４，２１４）を少なくとも含んでいる、加圧部材（２０）。
【請求項２】
前記頂部（２８）がさらに、第２の側壁（３２）と底面（３４）とによって凹部（３０）を形成しており、前記膜（１０，１１０，２１０）は前記底面（３４）に隣接している、請求項１の加圧部材（２０）。
【請求項３】
前記高電磁エネルギ吸収物質（１８，２１８）がカーボンブラックである、請求項１の加圧部材（２０）。
【請求項４】
前記ゼラチン層（１４，２１４）が、パターン化された反射材のコーティングを更に含んでいる、請求項１の加圧部材（２０）。
【請求項５】
前記ゼラチン層（１４，２１４）が試薬を更に含んでいる、請求項１の加圧部材（２０）。
【請求項６】
前記第１の側壁（２４）が、円錐形のカップの形をしている、請求項１の加圧部材（２０）。
【請求項７】
前記膜（１０，１１０，２１０）が多層膜（１０，１１０）であり、該多層膜（１０，１１０）は少なくとも採集層（１２）と前記ゼラチン層（１４，２１４）とを含んでおり、前記採集層（１２）と前記ゼラチン層（１４，２１４）とは相互に隣接している、請求項１の加圧部材（２０）。
【請求項８】
前記多層膜（１０，１１０）が支持層（１６）を更に含んでおり、前記ゼラチン層（１４，２１４）が前記採集層（１２）と前記支持層（１６）との間に配置されている、請求項７の加圧部材（２０）。
【請求項９】
前記膜は前記頂部（２８）に取り外し可能に結合されている、請求項１の加圧部材（２０）。
【請求項１０】
前記膜が前記凹部（３０）内で前記底面（３４）に取り外し可能に結合されている、請求項２の加圧部材（２０）。
【手続補正書】
【提出日】平成20年4月21日(2008.4.21)
【手続補正１】
【補正対象書類名】特許請求の範囲
【補正対象項目名】全文
【補正方法】変更
【補正の内容】
【特許請求の範囲】
【請求項１】
食材の調理のあいだ、未調理食材中の水分を保持するための方法であって：
（i）前記未調理食材に対して、
（a）動物筋肉組織由来の筋原線維タンパク質および筋形質タンパク質の酸性タンパク質水溶液（約3.5またはそれ未満のpHを有する）、前記酸性タンパク質水溶液およびその混合物を乾燥させることにより得られる動物筋肉組織由来の筋原線維タンパク質および筋形質タンパク質の乾燥タンパク質混合物、からなる群から選択されるタンパク質混合物由来のペプチド混合物、
（b）動物筋肉組織由来の筋原線維タンパク質および筋形質タンパク質の酸性タンパク質水溶液（約3.5またはそれ未満のpHを有する）、前記酸性タンパク質水溶液およびその混合物を乾燥させることにより得られる動物筋肉組織由来の筋原線維タンパク質および筋形質タンパク質の乾燥タンパク質混合物、からなる群から選択されるタンパク質混合物と、前記未調理食材の少なくとも一つの表面に対して前記添加物を適用する方法、前記未調理食材と前記添加物とを混合する方法、前記未調理食材中に前記添加物を注入する方法、そして前記添加方法の少なくとも2つを組み合わせた方法、からなる群から選択される添加方法により混合された（a）のペプチド混合物、
からなる群から選択された添加物を添加すること、そして
（ii）前記未調理食材と工程（i）に由来する添加物とを調理すること、
を含む、前記未調理食材中の水分を保持するための方法。
【請求項２】
前記添加物が前記未調理食材のすべての表面に対して適用される、請求項1に記載の方法。
【請求項３】
前記添加物が動物筋肉組織由来の筋原線維タンパク質および筋形質タンパク質のタンパク質混合物由来の乾燥ペプチド混合物または酸性ペプチド水溶液である、請求項1に記載の方法。
【請求項４】
前記未調理食材が魚、甲殻類動物（shell fish）、鳥肉、および獣肉からなる群から選択される、請求項1〜3のいずれか1項に記載の方法。
【請求項５】
前記甲殻類動物がエビである、請求項4に記載の方法。
【請求項６】
前記未調理鳥肉がシチメンチョウ、カモ、ガチョウ、狩猟鳥、およびニワトリからなる群から選択される、請求項4に記載の方法。
【請求項７】
前記未調理獣肉がハム、牛肉、羊肉、豚肉、子牛肉、水牛肉およびシカ肉からなる群から選択される、請求項4に記載の方法。
【請求項８】
前記添加物が魚の筋肉組織、鳥肉の筋肉組織、または獣肉の筋肉組織に由来する筋原線維タンパク質および筋形質タンパク質の混合物から形成される、請求項1〜7のいずれか1項に記載の方法。
【請求項９】
前記添加物が牛肉、羊肉、豚肉、およびこれらの混合物からなる群から選択される獣肉の筋肉組織に由来する筋原線維タンパク質および筋形質タンパク質の混合物から形成される、請求項8に記載の方法。
【請求項１０】
前記タンパク質混合物が動物膜脂質を実質的に含まない、請求項1〜9のいずれか1項に記載の方法。
【請求項１１】
前記食材がソーセージ組成物またはホットドッグ組成物中に含まれる動物筋肉組織を含む、請求項1〜10のいずれか1項に記載の方法。
【請求項１２】
前記添加物を、パン粉、バッター、乾燥もみダレ（spice dry rub）、クラッカーミール、およびこれらの混合物からなる群から選択される食品添加物と混合する、請求項1〜11のいずれか1項に記載の方法。
【請求項１３】
前記タンパク質混合物が動物膜脂質を実質的に含まない、請求項12に記載の方法。
【請求項１４】
前記未調理食材が魚、甲殻類動物（shell fish）、鳥肉、および獣肉からなる群から選択される、請求項12または13に記載の方法。
【請求項１５】
前記酸性タンパク質水溶液が約2.5〜3.5のpHを有する、請求項1〜14のいずれか1項に記載の方法。
【手続補正書】
【提出日】平成20年10月28日(2008.10.28)
【手続補正１】
【補正対象書類名】特許請求の範囲
【補正対象項目名】全文
【補正方法】変更
【補正の内容】
【特許請求の範囲】
【請求項１】
水域（２）中の動物プランクトン（１）もしくは他の微生物の採集装置であって、
前記水域（２）内に浸漬されるように配置された気泡拡散装置（３）であって、気泡（４）を動物プランクトン（１）に付着させて前記プランクトンを前記水域（２）の水面（２１）へより近づけることができるように、気泡（４）、好ましくは空気を前記水域内へ放出するよう配置され、所望のサイズ範囲内の小気泡を形成するように配置された気泡拡散装置（３）と；
前記気泡（４）に付着し前記水面（２１）に近づけられた動物プランクトン（１）を収集するための細かい網目のスキマーまたはトロール網（５）であって、前記水域（２）の前記水面（２１）の近くで使用するために配置され、船（６）から延縄（５４）の後方で牽引される前記スキマーもしくはトロール網（５）と、
を特徴とする採集装置。
【請求項２】
前記気泡拡散装置（３）が、前記水面（２１）上の前記船（６）上の加圧空気源（６１）からの給気ホース（３３）を含む、請求項１に記載の採集装置。
【請求項３】
前記気泡拡散装置（３）が、ロープ（３４）によって前記船（６）の後方で牽引されるように配置される、請求項１に記載の採集装置。
【請求項４】
前記気泡拡散装置（３）が、少なくとも１つの反らせ板（３５）によって前記船（６）の推進方向に対して側面に向かって広げられるよう配置されている、請求項３に記載の採集装置。
【請求項５】
前記トロール網（５）が、少なくとも１つのトロール網反らせ板（５５）によって前記船（６）の推進方向に対して側面に向かって広げられるように配置されている、請求項１に記載の採集装置。
【請求項６】
前記トロール網（５）が、採集された動物プランクトン（１）のための輸送チューブ（５３）への吸引口（５２）を装備している、請求項１に記載の採集装置。
【請求項７】
前記輸送チューブ（５３）が、前記トロール網（５）の後部にある前記吸引口（５２）から前記船（６）へ伸長している、請求項７に記載の採集装置。
【請求項８】
前記水面（２１）に沿って伸長する細長い浮きカラー（５６）と、沈子綱（５８ｂ）を備える前記浮きカラー（５６）から伸長するスカート（５８）であって、前記動物プランクトンを収集して前記スカート下から個体が逃れ出るのを防止する底網（５９）を保持するスカートとを備えるスキマー（５）を備え、前記スキマーが、尖端（５７）が後方を指すＶ形であって、枝縄が前記反らせ板もしくは開口板（５５）から前記延縄（５４）によって牽引されるＶ形で配置される、請求項１に記載の採集装置。
【請求項９】
前記気泡拡散装置（３）が、所望のサイズ範囲内にある前記小気泡を形成するための拡散装置（３１）を含む、請求項１に記載の採集装置。
【請求項１０】
水域（２）中の動物プランクトン（１）もしくは他の微生物を採集するための方法であって、
１つまたは複数の気泡拡散装置（３）を、前記気泡拡散装置（３）が気泡（４）、好ましくは空気を前記水域へ放出したときに、前記気泡が動物プランクトン（１）に付着し、前記動物プランクトン（１）を前記水域（２）の水面（２１）に近づけるように、水域（２）内に浸漬させて配置するステップと、スキマーまたは細かい網目のトロール網（５）により前記水面（２１）で前記動物プランクトン（１）を収集するステップとを特徴とする方法。
【請求項１１】
前記スキマーまたは前記細かい網目のトロール網（５）を前記水面（２１）において、またはその近くで牽引するステップであって、前記スキマーまたは前記トロール網が船（６）から延縄（５４）によって牽引されるステップを含む、請求項１０に記載の方法。
【請求項１２】
前記気泡拡散装置（３）において拡散装置（３１）を使用するステップを含む、請求項１０に記載の方法。
【請求項１３】
前記船（６）の船上の加圧空気源（６１）において圧縮空気を形成するステップと、前記気泡拡散装置（３）への給気ホース（３３）を通して加圧空気を輸送するステップとを含む、請求項１０に記載の方法。
【請求項１４】
前記気泡拡散装置（３）が、ロープ（３４）によって前記船（６）の後方で牽引される、請求項１０に記載の方法。
【請求項１５】
前記１つまたは複数の気泡拡散装置が、１つまたは複数の反らせ板（３５）によって前記船の推進方向に対して側面へ向かって牽引される、請求項１０に記載の方法。
【請求項１６】
前記トロール網（５）が、少なくとも１つのトロール網反らせ板（５５）によって前記船（６）の推進方向に対して側面へ向かって広げられる、請求項１０に記載の方法。
【請求項１７】
前記トロール網または前記スキマー（５）が、採集された動物プランクトン（１）を吸引するための、輸送チューブ（５３）を備える吸引装置（５２）を使用する、請求項１０に記載の方法。
【請求項１８】
前記輸送チューブ（５３）が、前記トロール網もしくは前記スキマー（５）にある前記吸引装置（５２）から前記船（６）へ伸長している、請求項１７に記載の方法。
【手続補正書】
【提出日】平成20年10月22日(2008.10.22)
【手続補正１】
【補正対象書類名】特許請求の範囲
【補正対象項目名】全文
【補正方法】変更
【補正の内容】
【特許請求の範囲】
【請求項１】
遠位構成要素及び近位構成要素を備える脊椎インプラントアセンブリを運動セグメントに送達するための装置であって、
遠位構成要素及び近位構成要素を同時に回転によって運動セグメントに推進し、遠位構成要素及び近位構成要素の間の軸方向の相対的な間隔を維持するように構成されている装置。
【請求項２】
遠位構成要素及び近位構成要素の間に維持される特定の軸方向の相対的な間隔を選択するために、長さの異なる一組の交換可能なドライバヘッドが用いられる請求項１に記載の装置。
【請求項３】
経仙骨アプローチによってアクセスされる脊椎における軸方向チャネルにおいて用いられる請求項１に記載の装置。
【請求項４】
遠位構成要素と近位構成要素との間に位置する椎間板腔への流動性生体材料の送達を可能とする請求項１に記載の装置。
【請求項５】
流動性生体材料はインシチュ（ｉｎ  ｓｉｔｕ）硬化性エラストマーである請求項４に記載の装置。
【請求項６】
前記エラストマーはシリコーンからなる請求項５に記載の装置。
【請求項７】
流動性生体材料はヒドロゲルである請求項４に記載の装置。
【請求項８】
流動性生体材料はヒドロゲル及びエラストマーのブレンドである請求項４に記載の装置。
【請求項９】
長尺状多角形ドライバ構成要素を有する請求項１に記載の装置。
【請求項１０】
長尺状多角形ドライバのうちの少なくとも一部は六角形形状である請求項９に記載の装置。
【請求項１１】
デュアル六角ヘッドドライバを有する請求項１に記載の装置。
【請求項１２】
近位構成要素との係合用の肩部を有する請求項１に記載の装置。
【請求項１３】
遠位構成要素及び近位構成要素の上の対応するスロットと係合するキーを有する請求項１に記載の装置。
【請求項１４】
遠位構成要素と近位構成要素との間の軸方向の相対的な間隔は、遠位構成要素と装置内のドライバ構成要素の遠位端との係合及び近位構成要素とドライバ構成要素上の肩部との係合によって維持される請求項１に記載の装置。
【請求項１５】
遠位構成要素によって近位椎体に切り込まれた螺旋ねじ溝に対し近位構成要素上の一組の雄ねじを適時性に送達することによって、遠位構成要素を回転によって近位椎体を通じて推進し、続いて近位構成要素を近位椎体へ推進するように適合されている請求項１に記載の装置。
【請求項１６】
装置の適合は、遠位構成要素上の一組の雄ねじにおいて用いられ、かつ、近位構成要素上の一組の雄ねじにおいて用いられるねじ山ピッチに部分的に基づき、遠位構成要素と近位構成要素との間の軸方向の相対的な間隔を選択することを含む請求項１５に記載の装置。
【請求項１７】
装置の適合は、脊椎インプラントアセンブリの意図する受容者の運動セグメントの解剖学的構造に部分的に基づき、遠位構成要素と近位構成要素との間の軸方向の相対的な間隔を選択することを含む請求項１５に記載の装置。
【請求項１８】
ドライバ構成要素に対し回転することによって遠位構成要素を係合するためのねじやま付き保持ロッドと、ドライバ構成要素に対する回転中、近位構成要素を係合するためのねじ山付き継手とを含む請求項９に記載の装置。
【請求項１９】
デュアルヘッド多角形トルクドライバの使用によって、第１の断面を有する近位構成要素と、より小さな第２の断面を有する遠位構成要素とを同時に推進するように適合されている請求項１に記載の装置。
【請求項２０】
ガイドワイヤを通じる配置に適合されている請求項１に記載の装置。
【請求項２１】
経仙骨アプローチによって形成された脊椎の軸チャネルを通じてアクセスされる隣接する椎体に事前に移植された、遠位構成要素及び近位構成要素からなる一対の構成要素を係合するための装置であって、
装置を回転することによって、装置が遠位構成要素と接触し、かつ、遠位構成要素とねじ係合されないような軸方向移動を生じるように、近位構成要素とのねじ係合に適合されており、
装置が近位構成要素と係合したまま遠位構成要素と接触するときに、遠位構成要素と近位構成要素との間に位置する間隙へ流動性生体材料を送達することを可能とするように適合されている装置。
【請求項２２】
遠位構成要素と近位構成要素との間に維持される所望の軸方向の相対的な間隔に基づき、長さの異なる一組の交換可能な副構成要素が用いられる請求項２１に記載の装置。
【請求項２３】
流動性生体材料はインシチュ（ｉｎ  ｓｉｔｕ）硬化性エラストマーである請求項２１
に記載の装置。
【請求項２４】
前記エラストマーはシリコーンからなる請求項２３に記載の装置。
【請求項２５】
流動性生体材料はヒドロゲルである請求項２１に記載の装置。
【請求項２６】
流動性生体材料はヒドロゲル及びエラストマーのブレンドである請求項２１に記載の装置。
【請求項２７】
装置と遠位構成要素との間の接触点である非外傷性チップを含む請求項２１に記載の装置。
【請求項２８】
装置を遠位構成要素に向けて軸方向移動させ、遠位構成要素と接触させ、遠位構成要素を押し進め、遠位構成要素と近位構成要素との間の距離を増大させるために充分なねじ山数の一組の雄ねじを有する請求項２１に記載の装置。
【手続補正書】
【提出日】平成20年10月27日(2008.10.27)
【手続補正１】
【補正対象書類名】特許請求の範囲
【補正対象項目名】全文
【補正方法】変更
【補正の内容】
【特許請求の範囲】
【請求項１】
（i）配列番号:2、配列番号:4、配列番号:6、配列番号:8、配列番号:10、配列番号:12、配列番号:14、配列番号:16、配列番号:18、配列番号:20、配列番号:22、配列番号:24、配列番号:128、配列番号:130、配列番号:132、配列番号:134、配列番号:146及び/又は配列番号:148に示すアミノ酸配列を含む、または前記アミノ酸配列からなるポリペプチド；
（ii）vWFA及び/又はANT_IGドメイン含有タンパク質として、好ましくはATR-様タンパク質として機能する（i）記載のポリペプチドの断片であるか、又は（i）記載のポリペプチドと共通の抗原決定基を有するポリペプチド；または、
（iii）（i）又は（ii）記載のポリペプチドの機能的等価物であるポリペプチド、
または、
（i）配列番号:26、配列番号:28、配列番号:30、配列番号:32、配列番号:34、配列番号:36、配列番号:38、配列番号:40、配列番号:42、配列番号:44、配列番号:46、配列番号:48、配列番号:50、配列番号:52、配列番号:136、配列番号:146、配列番号:150、及び／又は配列番号：156に示すアミノ酸配列を含む、または前記アミノ酸配列からなるポリペプチド；
（ii）vWFA及び/又はANT_IGドメイン含有タンパク質として、好ましくはATR-様タンパク質として機能する（i）記載のポリペプチドの断片であるか、又は（i）記載のポリペプチドと共通の抗原決定基を有するポリペプチド；又は
（iii）（i）又は（ii）記載のポリペプチドの機能的等価物、
または、
（i）配列番号:54、配列番号:56、配列番号:58、配列番号:60、配列番号:62、配列番号:64、配列番号:66、配列番号:68、配列番号:70、配列番号:72、配列番号:74、配列番号:76、配列番号:78、配列番号:80、配列番号:82、配列番号:84、配列番号:86、配列番号:88、配列番号:90、配列番号：137、配列番号:138、配列番号:140、配列番号：141、配列番号:142、配列番号:144、配列番号:146及び/又は配列番号:150に示すアミノ酸配列を含む、または前記配列から成るポリペプチド；
（ii）vWFA及び/又はANT_IGドメイン含有タンパク質として、好ましくはATR-様タンパク質として機能する（i）記載のポリペプチドの断片であるか、又は（i）記載のポリペプチドと共通の抗原決定基を有するポリペプチド；又は
（iii）（i）又は（ii）記載のポリペプチドの機能的等価物、
または、
（i）配列番号:92、配列番号:94、配列番号:96、配列番号:98、配列番号:100、配列番号:102、配列番号:104、配列番号:106、配列番号:108、配列番号:110、配列番号:112、配列番号:114、配列番号:116、配列番号:118、配列番号:120、配列番号:122、配列番号:124、配列番号:126、配列番号:146及び/又は配列番号:148に示すアミノ酸配列を含む、または前記配列からなるポリペプチド；
（ii）vWFA及び/又はANT_IGドメイン含有タンパク質として、好ましくはATR-様タンパク質として機能する（i）記載のポリペプチドの断片であるか、又は（i）記載のポリペプチドと共通の抗原決定基を有するポリペプチド；又は
（iii）（i）又は（ii）記載のポリペプチドの機能的等価物。
【請求項２】
請求項1記載のポリペプチドをコードする精製核酸分子。
【請求項３】
請求項２記載の核酸分子を含むベクター。
【請求項４】
請求項３記載のベクターで形質転換された宿主細胞。
【請求項５】
請求項1記載のポリペプチドと特異的に結合するリガンドである抗体。
【請求項６】
疾患の治療又は診断に使用される、請求項１記載のポリペプチド、請求項２記載の核酸分子、請求項３記載のベクター、請求項４記載の宿主細胞または請求項５記載のリガンド。
【請求項７】
患者の疾患を診断するin vitroの方法であって、前記方法が、前記患者由来の組織で請求項１記載のポリペプチドをコードする天然の遺伝子の発現レベルを判定するか、又は請求項１記載のポリペプチドの活性を判定し、さらに、前記発現のレベル又は活性をコントロールレベルと比較することを含み、前記コントロールレベルと異なるレベルを疾患の指標とする、前記疾患の診断方法。
【請求項８】
請求項１記載のポリペプチド、請求項２記載の核酸分子、請求項３記載のベクター、請求項４記載の宿主細胞または請求項５記載のリガンドを含む、医薬組成物。
【請求項９】
請求項１記載のポリペプチド又は請求項２記載の核酸分子を含む、ワクチン組成物。
【請求項１０】
細胞増殖性異常（新形成、メラノーマ、肺、結腸直腸、乳房、膵臓、頭部頸部の腫瘍、及び他の固形腫瘍を含む）、骨髄増殖性異常（例えば白血病、非ホジキンリンパ腫、白血球減少症、血小板減少症、血管増殖異常、カポジ肉腫）、自己免疫疾患/炎症性疾患（アレルギー、炎症性腸疾患、関節炎、乾癬及び気道の炎症、喘息、並びに器官移植拒絶を含む）、心脈管系異常（高血圧、浮腫、狭心症、アテローム性硬化症、血栓症、敗血症、ショック、再灌流損傷及び虚血を含む）、神経学的異常（中枢神経系疾患、アルツハイマー病、脳損傷、筋萎縮性側索硬化症及び疼痛を含む）、発育異常、代謝異常（真性糖尿病、骨粗しょう症、肥満、エイズ及び腎疾患を含む）、感染（ウイルス感染、真菌感染及び寄生虫感染、細菌感染、細菌毒素障害、炭疽、毒素（例えば細菌毒素）のブロック、癌、腫瘍内皮、大腸癌、膀胱癌、食道癌、肺癌、メラノーマ、若年性ヒアリン線維腫症（JFH）、乳児全身性ヒアリン症（ISH）、フォン・ウィルブランド病、ベスレム筋障害、栄養障害型表皮水疱症、血栓症、血小板介在凝固の調節、自己免疫疾患、炎症、及び他の病的状態の治療のための医薬の製造に使用される、請求項１記載のポリペプチド、請求項２記載の核酸分子、請求項３記載のベクター、請求項４記載の宿主細胞、請求項５記載のリガンド、または請求項８記載の医薬組成物。
【請求項１１】
IVFで、又は避妊薬として使用される、請求項１記載のポリペプチド、請求項２記載の核酸分子、請求項３記載のベクター、請求項４記載の宿主細胞、請求項５記載のリガンド、または請求項８記載の医薬組成物。
【手続補正書】
【提出日】平成20年7月11日(2008.7.11)
【手続補正１】
【補正対象書類名】特許請求の範囲
【補正対象項目名】請求項５
【補正方法】変更
【補正の内容】
【請求項５】
Ｓ−アデノシルメチオニン合成酵素１をコードする遺伝子、Ｓ−アデノシルメチオニン合成酵素２をコードする遺伝子、低親和性メチオニン透過酵素をコードする遺伝子、高親和性メチオニン透過酵素をコードする遺伝子、超低親和性メチオニン透過酵素をコードする遺伝子、メチオニンの輸送が可能な広域スペクトル透過酵素をコードする遺伝子、を含む群から選択される前記株の一つの遺伝子の少なくとも一つのプロモータ配列が、酵母の強力プロモータ配列と置換されていることを特徴とする、請求項３又は４に記載の遺伝子修飾された酵母株の使用。
【手続補正２】
【補正対象書類名】明細書
【補正対象項目名】００８０
【補正方法】変更
【補正の内容】
【００８０】
本発明の特定の実施態様においては、株はＳａｃｃｈａｒｏｍｙｃｅｓ  ｃｅｒｅｖｉｓｉａｅ種に属し、前記の株のユビキチンリガーゼ複合体ＳＣＦＭｅｔ３０のＭｅｔ３０レセプター・サブユニットをコードする遺伝子（ＭＥＴ３０）の不活性化は、特にＭＥＴ３０遺伝子配列の破壊により行われ、次いで、前記の株のＭＥＴ４遺伝子及び／又は前記の株のＭＥＴ３２遺伝子の不活性化もまた、特に対応する遺伝子配列の破壊により実施される。
【手続補正３】
【補正対象書類名】明細書
【補正対象項目名】０１２０
【補正方法】変更
【補正の内容】
【０１２０】
［ｐｒｏＰＧＫ１−ＳＡＭ２融合遺伝子によるＳＡＭ３及びＳＡＭ４遺伝子の置換］
本発明に記載の方法を実施するうえで好都合な方法においては、酵母細胞が一旦分泌したＳＡＭを再び取込こむことを有意に減らすために、ＳＡＭ４遺伝子を、隣接する高親和性ＳＡＭトランスポータをコードするＳＡＭ３遺伝子と同時に不活性化した。
本発明記載の方法を実施するうえで好都合な他の方法においては、このＳＡＭ３及びＳＡＭ４遺伝子の二重不活性化は、強力構成的プロモータＰＧＫ１の制御下で酵素Ｓａｍ２ｐ（ＳＡＭ合成酵素２）を過剰発現する融合遺伝子をこれら遺伝子座に挿入することで、実施された。このようにして構築した酵母細胞は、このゲノムに施された特異的な修飾の結果による低減したＳＡＭの異化、追加ＳＡＭ２遺伝子による不活性化したＳＡＭの高親和性輸送システム及びＳＡＭ合成酵素活性の発現増加、並びに強力構成的プロモータによる過増殖（一方、天然のＳＡＭ１及びＳＡＭ２遺伝子プロモータは内在性の有機硫黄含有化合物の濃度上昇により負の制御を受ける、Thomas and Surdin−Kerjan, 1997, Microbiol. Mol. Biol. Rev. 61, 503−532）、という利点を備えている。第ＸＶＩ染色体左腕レベルのＳＡＭ３及びＳＡＭ４遺伝子座に挿入されたｐｒｏＰＧＫ１−ＳＡＭ２融合遺伝子（構築はｓａｍ３−ｓａｍ４：：ｐｒｏＰＧＫ１−ＳＡＭ２などの株の遺伝子型に示される）を有する株は、その親株に比較してＳＡＭ生産が増加していることが十分に示された。
前記で得られた、ＰＧＫ１遺伝子プロモータの制御下にあるＳＡＭ２遺伝子を有するプラスミドは、ｐｒｏＰＧＫ−ＳＡＭ２遺伝子を含む断片の増幅のために、二機能性オリゴヌクレオチドと共に用いられた。オリゴヌクレオチドＳＡＭ３−ＰＧＫは、標的である５’領域のＳＡＭ３遺伝子配列（−８０から−３、下に太字（下線）タイプで示す）に相同の７７ヌクレオチド及びそれに続づくＰＧＫ１遺伝子プロモータ領域（−７７１から−７４８）に相同の２４ヌクレオチドを含む。オリゴヌクレオチドＳＡＭ４−ＳＡＭ２は、標的である３’領域のＳＡＭ４遺伝子配列（１０４３から９７４、下に太字（下線）タイプで示す）に相同の７０ヌクレオチド、及びそれに続くＳＡＭ２遺伝子末端（１１５５から１１３４）に相同の２１ヌクレオチドを含む。ヌクレオチドは各遺伝子の翻訳開始のＡＴＧより番号が振られている。
【手続補正４】
【補正対象書類名】明細書
【補正対象項目名】０１２２
【補正方法】変更
【補正の内容】
【０１２２】
増幅により得られた断片は、Ｗ７４４−１Ａ株を形質転換、そしてＳＡＭに関する原栄養形質転換体の選択による、一段階破壊実験に用いた（Rothstein, 1991, Methods in Enzymology, 194, 281−301）（図２Ｂ参照）。
ｐｒｏＰＧＫ−ＳＡＭ２遺伝子によるＳＡＭ３及びＳＡＭ４遺伝子の同時置換はＰＣＲにより証明した。
ＣＹ２７３株は、株ＣＹ２７０−７Ｄ（Ｍａｔａ、ｈｉｓ３、ｌｅｕ２、ｕｒａ３、ｔｒｐ１、ｍｅｔ３２：：ＴＲＰ１、ａｄｏ１：：ＵＲＡ３、ｓａｍ３−ｓａｍ４：：ｐｒｏＰＧＫ１−ＳＡＭ２）及び株ＣＹ２５８−１０Ｄ（Ｍａｔα、ｈｉｓ３、ｌｅｕ２、ｕｒａ３、ｔｒｐ１、ｍｅｔ３２：：ＴＲＰ１、ｍｅｔ３０：：ＵＲＡ３、ａｄｏ１：：ＵＲＡ３、ｓａｍ３−ｓａｍ４：：ｐｒｏＳＡＭ４−ＳＡＭ２、ｍｈｔ１）を交配し、得られた二倍体に胞子を形成させ、次いで、求める遺伝子組換えを有する胞子を選択するために得られた四分子を分析することで、取得された。
【手続補正書】
【提出日】平成20年10月21日(2008.10.21)
【手続補正１】
【補正対象書類名】特許請求の範囲
【補正対象項目名】全文
【補正方法】変更
【補正の内容】
【特許請求の範囲】
【請求項１】
下記式の親水性及び疎水性ポリマーを含む医療装置に放出制御コーティングを施すための両親媒性コポリマー。
【化１】
2008517662.tif 000001
(式中、a、b、nは、1-100からの整数であり; R1は、H又は低級アルキルであり、R2は、H、置換された又は置換されていないC1-C100直鎖又は分枝鎖アルキル基、アルケニル基、シクロアルキル基又はシクロアルケニル基、置換された又は置換されていないフェニル基又はベンジル基、複素環基、多環式アルキル基又はアルケニル基である。)
【請求項２】
R1が、C1-100アルキル、C1-100アルケニル、又はHを含む、請求項１記載の両親媒性コポリマー。
【請求項３】
R2が、メチル、エチル、シクロヘキシル、ノルボルニル、フェニル、ベンジル及びアダマンチルからなる群より選ばれる、請求項１記載の両親媒性コポリマー。
【請求項４】
前記置換基がハロゲン、ヒドロキシル基、カルボキシル基、アルコキシ基、酸素、窒素、イオウ、リン、ガリウム、鉄、ホウ素及びそれらの１以上の放射性同位元素からなる群より選ばれる、請求項１記載の両親媒性コポリマー。
【請求項５】
請求項１記載の両親媒性コポリマー及び薬剤を含む、医療装置のための薬剤含有放出制御コーティング。
【請求項６】
両親媒性コポリマーが、ポリ(エチレングリコール)(PEG)-メタクリレート-シクロヘキシルメタクリレートコポリマーである、請求項５記載の薬剤放出コーティング。
【請求項７】
前記薬剤が抗再狭窄剤である、請求項５記載の薬剤放出コーティング。
【請求項８】
前記薬剤がペプチドである、請求項７記載の薬剤放出コーティング。
【請求項９】
前記医療装置が血管ステントである、請求項５記載の薬剤放出コーティング。
【手続補正書】
【提出日】平成20年6月12日(2008.6.12)
【手続補正１】
【補正対象書類名】特許請求の範囲
【補正対象項目名】全文
【補正方法】変更
【補正の内容】
【特許請求の範囲】
【請求項１】
薬剤の搬送を補助するためのシステムであって、前記システムの利用時に薬剤が注入される可食物を含む容器と、
上部に突起部を有し、前記可食物を前記容器内に実質的に封止する第一の除去可能なカバー部材と、
を備え、
前記システムが使用中の時に前記薬剤を前記可食物内へ押し入れることで該可食物内に該薬剤を注入し、前記突起部が前記可食物内に突出しているように配置されていることを特徴とするカバー部材と、
を含むシステム。
【請求項２】
前記突起部の断面が、半円形、三角形または四角形あるいは半球形である、
請求項１に記載のシステム。
【請求項３】
前記突起部が実質的に空洞である、
請求項１または２に記載のシステム。
【請求項４】
前記可食物が、該可食物内に薬剤が挿入または保持されていることを視覚的に示すカラーマークが施されている、
請求項１〜３のいずれか１項に記載のシステム。
【請求項５】
前記突起部が配置手段を含む、
請求項１〜４のいずれか１項に記載のシステム。
【請求項６】
前記可食物は、固体または半固体状態の食料である、
請求項１〜５のいずれか１項に記載のシステム。
【請求項７】
前記薬剤が可食薬であり、錠剤、ペレット、カプセル、または顆粒状態である、
請求項１〜６のいずれか１項に記載のシステム。
【請求項８】
前記容器がおけ型の形状を有する、
請求項１〜７のいずれか１項に記載のシステム。
【請求項９】
前記容器がアルミニウム、（ポリエチレンの袋のような）柔軟なプラスチック、硬質または半硬質プラスチック、好ましくはプラスチック層を有する厚紙である、
請求項１〜８のいずれか１項に記載のシステム。
【請求項１０】
前記薬剤が個人に搬送された際に、前記容器が、容器から前記薬剤を含む前記可食物を取り出し易いように壁、ベース部の少なくとも一方が柔軟性を有する、
請求項１〜９のいずれか１項に記載のシステム。
【請求項１１】
前記システムがさらに第二の除去可能なカバー部材を有する、
請求項１〜１０のいずれか１項に記載のシステム。
【請求項１２】
前記第二の除去可能なカバー部材が薬剤保存領域を形成するために設けられている、
請求項１１に記載のシステム。
【請求項１３】
前記薬剤が前記薬剤保存領域に含有されている、
請求項１２に記載のシステム。
【請求項１４】
前記薬剤保存領域がさらに薬剤保護デバイスを有する、
請求項１２または１３に記載のシステム。
【請求項１５】
前記第二の除去可能なカバー部材が容器の底部に設けられている、
請求項１１〜１４のいずれか１項に記載のシステム。
【請求項１６】
前記第二の除去可能なカバー部材が前記第一のカバー部材に配置されている、
請求項１１〜１５のいずれか１項に記載のシステム。
【請求項１７】
各カバー部材が、接着剤（食品用に使用可能なもの）または脱着式手段によって容器あるいはそれぞれ互いに結合されている、
請求項１〜１６のいずれか１項に記載のシステム。
【請求項１８】
前記各カバー部材が、柔軟で無孔質材料から製造されている、
請求項１〜１７のいずれか１項に記載のシステム。
【請求項１９】
前記突起部が、硬質または半硬質材料から製造されている、
請求項１〜１８のいずれか１項に記載のシステム。
【請求項２０】
前記カバー部材が、前記容器と実質的に接着されていない剥離タブを有する、
請求項１〜１９のいずれか１項に記載のシステム。
【請求項２１】
ユーザが内容物の識別をし易いように、前記各カバー部材の上に印刷部を有する、
請求項１〜２０のいずれか１項に記載のシステム。
【請求項２２】
前記容器内に可食物を充填する前に、前記容器の壁部が離型剤により被覆されている、
請求項１〜２１のいずれか１項に記載のシステム。
【請求項２３】
前記可食物が、実質的に全て摂取されるような形状、形態をしている、
請求項１〜２２のいずれか１項に記載のシステム。
【手続補正書】
【提出日】平成20年10月1日(2008.10.1)
【手続補正１】
【補正対象書類名】特許請求の範囲
【補正対象項目名】全文
【補正方法】変更
【補正の内容】
【特許請求の範囲】
【請求項１】
高濃度の酸素を有する製品ガスを生成するための生成手段と、要求の開始のみに応じて出口を通して使用者へ送出される前記製品ガスの所望量を制御するための制御手段と、前記製品ガスを前記出口へ送出するための送出手段と、前記出口又はその付近における前記製品ガスの温度及び／又は圧力を判定するための判定手段と、を備えている装置において、
前記制御手段は、その量の前記製品ガスを前記使用者へ供給する時間の長さを設定するために前記判定された温度及び／又は圧力を利用する利用手段を含んでおり、
前記生成手段は、作動サイクルの各段階に亘る予測可能な圧力の変動時に周囲の空気から前記製品ガスを生成し、前記利用手段は、要求が開始される作動サイクルの段階から圧力を判定する、装置。
【請求項２】
前記制御手段は、前記作動サイクルの段階に特有の時間長さが含まれている一式のルックアップテーブルを備えている、請求項１に記載の装置。
【請求項３】
前記ルックアップテーブルは、マイクロプロセッサに常駐している、請求項２に記載の装置。
【請求項４】
前記生成手段は、圧力スイング吸着によって前記製品ガスを生成する、請求項１に記載の装置。
【請求項５】
前記制御手段は、前記製品ガスを供給するための、そして複数の圧力範囲それぞれに対する複数の温度範囲に固有の、所定の時間長さが入っている少なくとも１つのルックアップテーブルのセットを備えている、請求項１に記載の装置。
【請求項６】
前記ルックアップテーブルは、マイクロプロセッサに常駐している、請求項５に記載の装置。
【請求項７】
前記制御手段は、前記製品ガスを供給するための、そして複数の圧力範囲に固有の、所定の時間長さが入っている少なくとも１つのルックアップテーブルのセットを備えている、請求項１に記載の装置。
【請求項８】
前記ルックアップテーブルは、マイクロプロセッサに常駐している、請求項７に記載の装置。
【請求項９】
前記制御手段は、前記製品ガスを供給するための、そして複数の温度範囲に固有の、所定の時間長さが入っている少なくとも１つのルックアップテーブルのセットを備えている、請求項１に記載の装置。
【請求項１０】
前記ルックアップテーブルは、マイクロプロセッサに常駐している、請求項９に記載の装置。
【請求項１１】
高濃度の酸素ガスを生成し、前記酸素ガスを出口を通して使用者に送出するための手段を有する装置によって生成された製品ガスの所望の投与量を決めるための方法において、前記使用者による吸入を検知する段階と、吸入が検知された時間における前記製品ガスの前記温度及び／又は圧力を判定する段階と、前記製品ガスの所望の投与量を、前記判定された温度及び／又は圧力に基づく時間長さに亘って前記使用者に送出する段階と、
前記製品ガスの所望の投与量を送出する前記段階の前に、要求が開始される時間に前記製品ガスの所望の投与量を送出するのに必要な時間を計算する段階と、前記送出段階のためにアクセスされる前記計算された時間の参照表を作成する段階と、を含む方法。
【請求項１２】
前記計算は、前記サイクルを複数の所定の範囲に分割する段階と、前記製品ガスを任意の定時間供給して、前記サイクル範囲のそれぞれで、前記定時間中に送出される製品ガスの実際の圧力と実際の体積の両方を測定する段階と、それぞれのその様なサイクル範囲で前記ガス送出時間を再計算して、サイクルのその時点で要求が開始されたときに、所望の製品ガスの投与量を送出する段階と、前記サイクル範囲と再計算された時間から前記参照表を作成する段階と、を含んでいる、請求項１１に記載の方法。
【請求項１３】
高濃度の酸素を有する製品ガスの投与量を生成するための生成手段と、要求の開始のみに応じて使用者への前記投与量の供給を制御するための制御手段と、を有する装置であって、前記製品ガスを生成するための前記生成手段は、実質的に一貫して連続している作動サイクルで圧力変動が生じている前記装置のための方法であって、所望の均一な投与量を前記使用者に供給するのに必要な時間長さを求める方法において、
前記作動サイクルの時間全体を所定の範囲に分割する段階と、前記製品ガスを任意の定時間供給して前記サイクル範囲のそれぞれで前記定時間中に送出される製品ガスの実際の圧力と実際の体積の両方を測定する段階と、その様なサイクル範囲のそれぞれについて前記ガス送出時間を再計算してそのサイクル範囲で要求が開始されると前記所望の製品ガスの投与量を送出する段階と、参照表を作成し、それによって前記サイクル範囲の中から適切な送出時間を読み取る段階と、を含む方法。
【請求項１４】
高濃度の酸素を有する製品ガスの所望の投与量を生成し、前記製品ガスを、変動する圧力及び温度で出口を通して使用者に送出するための手段を有する装置で用いられる方法であって、
前記使用者による吸入を検知する段階と、前記吸入が検知されたときに供給される前記製品ガスの前記温度を判定する段階と、前記吸入が検知されたときの前記ガスの前記圧力を判定する段階と、前記製品ガスを、前記判定された温度と圧力に基づく時間長さに亘って前記使用者に送出する段階と、を含む方法。
【手続補正書】
【提出日】平成20年10月14日(2008.10.14)
【手続補正１】
【補正対象書類名】特許請求の範囲
【補正対象項目名】全文
【補正方法】変更
【補正の内容】
【特許請求の範囲】
【請求項１】
繊維状ウェブを含む細長いコアを含む接着剤物品であって、前記コアが、そのコア外周の少なくとも主部分の周りに延在するシースを備え、そのシースが、外部接着剤表面を有する接着剤組成物を含む、前記コアの最小径が１ｍｍ以上である、接着剤物品。
【請求項２】
前記シースが前記コアの表面に沿って不連続に延在する、請求項１に記載の接着剤物品。
【請求項３】
前記接着剤物品が、厚さ方向に沿って少なくとも１０％だけ可逆的に圧縮できる、請求項１に記載の接着剤物品。
【請求項４】
輸送車両中の部品を結合させるか、または剛化させるための請求項１〜３のいずれか１項に記載の接着剤物品の使用。
【請求項５】
請求項１〜３のいずれか１項に記載の接着剤物品に接着された第１の基材。
【手続補正書】
【提出日】平成20年9月12日(2008.9.12)
【手続補正１】
【補正対象書類名】特許請求の範囲
【補正対象項目名】全文
【補正方法】変更
【補正の内容】
【特許請求の範囲】
【請求項１】
カルボキシレートサブユニットおよびグリコールサブユニットを含み、かつ６３２．８ｎｍでの屈折率１．５８以下およびガラス転移温度９０℃以上を有する、コポリエチレンナフタレートを含むポリマー。
【請求項２】
複屈折性第１コポリエステルまたはポリエステルを含む、複数の第１光学層；および
カルボキシレートサブユニットおよびグリコールサブユニットを有し、かつ多層ポリマーフィルムが形成された後に６３２．８ｎｍでの面内複屈折０．０４以下を有するコポリエチレンナフタレートである第２コポリエステルを含む、複数の第２光学層；
を含む多層ポリマーフィルムであって、前記第２コポリエステルが、６３２．８ｎｍでの屈折率１．５８以下およびガラス転移温度９０℃以上を有する、多層ポリマーフィルム。
【請求項３】
複屈折性第１コポリエステルまたはポリエステルを含む、複数の第１光学層；および
コポリエステルとポリカーボネートポリマーのブレンドであり、かつ多層ポリマーフィルムが形成された後に６３２．８ｎｍでの面内複屈折０．０４以下を有する、第２コポリエステルを含む、複数の第２光学層；
を含む多層ポリマーフィルム。